(57)【特許請求の範囲】
【請求項１】
内側ダイアフラム領域から外側ダイアフラム領域に延び、前記外側ダイアフラム領域は前記内側ダイアフラム領域に対して所定の角度で屈曲するダイアフラムと、
フレームと、
前記ダイアフラムの下に配置され、前記ダイアフラムに構造的支持を与える音声コイル巻型であって、該音声コイル巻型上縁が前記内側ダイヤフラム領域と外側ダイヤフラム領域との間でダイアフラムと界面接続し、前記内側ダイアフラム領域が音声コイル巻型の内側に配置され、前記外側ダイアフラム領域が前記音声コイル巻型の外側に配置される音声コイル巻型と、
内側サスペンション領域から外側サスペンション領域に延び、前記外側サスペンション領域は前記フレームに取り付けられ、前記内側サスペンション領域は前記外側ダイアフラム領域と重なって取り付けられて、前記内側ダイアフラム領域に対して前記所定の角度に向けられた振動閉じ込め部を形成する、サスペンション材と、を備え、
前記所定の角度における前記振動閉じ込め部の配向は、前記内側ダイアフラム領域を、前記外側サスペンション領域からのスプリアス屈曲波から隔離する、
ことを特徴とするラウドスピーカ。
【請求項２】
前記内側サスペンション領域及び前記外側ダイアフラム領域は、接着剤により界面において取り付けられ、
前記所定の角度における前記振動閉じ込め部の前記向きが、前記界面上に一次剪断荷重を誘起させ、それによって前記界面が強化される、
請求項１に記載のラウドスピーカ。
【請求項３】
前記所定の角度は約９０度である、
請求項１に記載のラウドスピーカ。
【請求項４】
前記フレームは水平面内に取り付けリングを含み、
前記外側サスペンション領域は前記取り付けリングに取り付けられる、
請求項１に記載のラウドスピーカ。
【請求項５】
前記外側ダイアフラム領域を通る下向きの平面は、約４５度で前記水平面と交差する、
請求項４に記載のラウドスピーカ。
【請求項６】
前記内側サスペンション領域を通る上向きの平面は、約４５度で前記水平面と交差する、
請求項５に記載のラウドスピーカ。
【請求項７】
前記内側サスペンション領域及び前記外側サスペンション領域の少なくとも１つはフランジを含む、
請求項１に記載のラウドスピーカ。
【請求項８】
前記内側ダイアフラム領域は凹形状ドーム及び凸形状ドームのいずれか１つを含む、
請求項１に記載のラウドスピーカ。
【請求項９】
前記内側ダイアフラム領域は円錐形状を含む、
請求項１に記載のラウドスピーカ。
【請求項１０】
内側ドーム域から外側環状域に延び、前記外側環状域は前記内側ドーム域に対して所定の角度で屈曲する、ダイアフラムと、
前記ダイアフラムの下に配置され、前記ダイアフラムに構造的支持を与え、底縁から上縁に延び、前記上縁は前記内側ドーム域と前記外側環状域との間で前記ダイアフラムと界面接続する、音声コイル巻型であって、前記内側ドーム域が前記音声コイル巻型の内側に配置され、前記外側環状域が前記音声コイル巻型の外側に配置されている音声コイル巻型と、
内側サスペンション領域から外側サスペンション領域に延び、前記内側サスペンション領域は前記外側環状域と重なって取り付けられて、前記内側ドーム域に対して前記所定の角度に向けられた振動閉じ込め部を形成する、サスペンション部材と、を含み、
前記所定の角度における前記振動閉じ込め部の配向が、前記内側ドーム域を、前記外側サスペンション領域からのスプリアス屈曲波から隔離する、
ことを特徴とするラウドスピーカ。
【請求項１１】
前記内側サスペンション領域及び前記外側環状域は、接着剤により界面において取り付けられ、
前記所定の角度における前記振動閉じ込め部の前記配向が、前記界面上に剪断荷重を誘起させ、それによって前記界面が強化される、
請求項１０に記載のラウドスピーカ。
【請求項１２】
前記所定の角度は約９０度である、
請求項１０に記載のラウドスピーカ。
【請求項１３】
前記内側サスペンション領域及び前記外側サスペンション領域の少なくとも１つはフランジを含む、
請求項１０に記載のラウドスピーカ。
【請求項１４】
前記ダイアフラムの内側ドーム域は凹形状のドーム及び凸形状のドームのいずれか１つを含む、
請求項１０に記載のラウドスピーカ。
【請求項１５】
前記ダイアフラムの内側ドーム域は円錐形状を含む、
請求項１０に記載のラウドスピーカ。
【請求項１６】
水平面内に取り付けリングを有するフレームと、
内側凹状ドーム領域から外側環状領域に延び、前記外側環状領域は前記水平面に対して所定の角度で下向きに延びる、ダイアフラムと、
内側サスペンション領域から外側サスペンション領域に延び、前記外側サスペンション領域は前記フレームの前記取り付けリングに取り付けられ、前記内側サスペンション領域は、前記ダイアフラムの外側環状領域と重なって取り付けられて、前記水平面に対して前記所定の角度に向けられた振動閉じ込め部を形成する、サスペンション部材とを含み、
前記所定の角度における前記振動閉じ込め部の方向付けは、前記ダイアフラムの内側凹状ドーム領域を、前記外側サスペンション領域からのスプリアス屈曲波から隔離する、
ことを特徴とするラウドスピーカ。
【請求項１７】
前記内側サスペンション領域及び前記外側環状領域は、接着剤により界面において取り付けられ、
前記所定の角度における前記振動閉じ込め部の前記方向付けが、前記界面上に剪断荷重を誘起させ、それによって、前記界面が強化される、
請求項１６に記載のラウドスピーカ。
【請求項１８】
前記所定の角度は約４５度である、
請求項１６に記載のラウドスピーカ。
【請求項１９】
前記ダイアフラムに構造的支持を与える音声コイル巻型をさらに含む、
請求項１６に記載のラウドスピーカ。
【発明の詳細な説明】
【技術分野】
【０００１】
本開示は、一般に、ラウドスピーカの分野に関し、より詳細には、ラウドスピーカのドライバと関連する振動の閉じ込めに関する。
（関連出願の相互参照）
この国際特許出願は、２０１０年６月４日に出願された米国特許出願第１２／７９４５０８号に対する優先権を主張するものであり、この全体が引用により本明細書に組み入れられる。
【背景技術】
【０００２】
ラウドスピーカのための音響変換器又はドライバには多くの型式がある。ドライバの機能は、従来の直接放射器のようであり、例えば、剛性のダイアフラム及びサスペンションシステムに結合された、静磁場に浸された移動音声コイルを含む。
【０００３】
ラウドスピーカのモータシステムは、磁場を方向づけ形成するスチール部品により囲まれた永久磁石を含む。また、ラウドスピーカは、音声コイル巻型と呼ばれることがある非導電性のボビンの周りに巻かれた、音声コイルワイヤと呼ばれることがある導電性ワイヤ（例えば、銅被覆アルミニウム）とすることができる、音声コイルを含む。音声コイル巻型は、機械的安定性及びコイルの力をダイアフラムに伝達するためのプラットフォームを与えることができる。
【０００４】
ダイアフラムは、典型的に、剛性で軽量であり、「崩壊」状態又は他の不良な挙動が最小化された状態で、空気を正確に運動させる。理想的には、ダイアフラムは、完璧にピストン状の運動を示す。ダイアフラムは、その形状により、時にはドームと呼ばれ、高剛性、低質量、及び高変形性を示し、これにより深い形状が形成できる、アルミニウム或いは類似の材料、又はこれらの複合材から形成することができる。
【０００５】
サスペンションシステムは、一般に、復元力を与え、コイルを正しい位置に維持する。サスペンションは、制御された軸方向の動きを可能にする一方で、コイルがモータの構成部品に当たることがある横方向の動き又は傾斜を大幅に防止する。サスペンションの剛性対撓みは、音声コイル及びモータシステムの力対撓み特性に適合するよう慎重に設計される。サスペンションは、ポリウレタン発泡材料などから形成された部材を含み、熱及び圧力によって型の中に圧縮して成形することができる。しかしながら、サスペンション部材をダイアフラムに取り付ける際に多くの問題が生じる。例えば、サスペンション部材とダイアフラムとの取り付けにより、サスペンションシステムからのスプリアス振動をダイアフラムの表面にわたって伝達させ、結果として周波数応答の歪み及び誤りをもたらし得る。
【発明の概要】
【発明が解決しようとする課題】
【０００６】
１つの周知の手法は、ダイアフラムをサスペンション部材から分離させ、それによって、ダイアフラムを、サスペンションシステムにおける高周波振動から隔離することを含む。しかしながら、かかる手法及び設計によるラウドスピーカは、製造が困難であることがあり、結果として、ラウドスピーカが、脆弱で、耐久性及び信頼性を欠くものとなる。従って、ダイアフラムを、サスペンションシステムと関連する振動から隔離する一方で、製造が簡単であり、堅牢で信頼性のあるラウドスピーカ技術に対する必要性が残る。
【課題を解決するための手段】
【０００７】
開示される態様のうちのいくつかの態様の基本的な理解を与えるために、以下に、単純化された概要を提示する。この概要は包括的な概略ではなく、主要な又は重要な要素を特定することも、又はそのような態様の範囲を限定することも意図するものではない。この目的は、以下に提示される、より詳細な説明への前置きとして、単純化された形態で、説明される特徴のいくつかの概念を提示することである。
【０００８】
１つ又はそれ以上の態様及びそれに対応する開示によると、振動閉じ込め及び応力管理のための改善されたラウドスピーカ設計と関連して種々の態様が説明される。本明細書に記載される技術は、ダイアフラムの内側領域を、サスペンションシステムと関連する振動から隔離する一方で、製造が簡単で信頼性のあるラウドスピーカを提供することを可能にする。１つの実施形態において、内側ダイアフラム領域（例えば、凹形状又は凸形状のドーム）から外側ダイアフラム領域に延びるダイアフラムを含み、外側ダイアフラム領域は、内側ダイアフラム領域に対して所定の角度（例えば、約９０度）で屈曲する、ラウドスピーカが提供される。ラウドスピーカは、フレームと、内側サスペンション領域から外側サスペンション領域に延びるサスペンション部材とをさらに含み、内側サスペンション領域は外側ダイアフラム領域と重なって取り付けられ、それにより内側ダイアフラム領域に対して所定の角度で振動閉じ込め部が形成される。外側サスペンション領域は、フレームに取り付けることができる。１つの実施形態において、所定の角度は約４５度乃至約１３５度とするのがよい。関連する態様において、所定の角度（例えば、直角）における振動閉じ込め部の方向付けは、内側ダイアフラム領域を、外側サスペンション領域からのスプリアス屈曲波又は振動から隔離する。
【０００９】
関連する態様において、フレームは、水平面内に、例えば、環状平坦面等の取り付けリングを含むのがよい。外側サスペンション領域は、取り付けリングに取り付けることができる。外側ダイアフラム領域を通る下向き平面は、例えば、約１５度から約６０度までの間といった所与の角度で、水平面と交差するのがよい。１つの特定の実施例において、所与の角度は、約４５度とするのがよい。同様に、内側サスペンション領域を通る上向き平面は、同じ所与の角度又は類似の角度で、水平面と交差するのがよい。
【００１０】
さらなる関連する態様において、ラウドスピーカは、ダイアフラムの下に配置され、該ダイアフラムに構造的支持を与える音声コイル巻型をさらに含むことができる。さらに別の関連する態様において、内側サスペンション領域及び／又は外側サスペンション領域は、フランジを含むことができる。
【００１１】
さらに別の関連する態様において、内側サスペンション領域及び外側ダイアフラム領域は、接着剤により界面において取り付けられる。所定の角度における振動閉じ込め部の方向付けは、界面上に剪断荷重を誘起し、それにより界面が強化される。
【００１２】
本明細書に記載される実施形態の１つ又はそれ以上の態様によれば、（ａ）内側ドーム域から外側環状域に延び、外側環状域が内側ドーム域に対して所定の角度（例えば、約４５度から約１３５度までの間）で屈曲する、ダイアフラムと、（ｂ）ダイアフラムの下に配置され、該ダイアフラムに構造的支持を与え、底縁から上縁まで延び、上縁は、内側ドーム域と外側環状域との間でダイアフラムと接続する、音声コイル巻型と、を含むラウドスピーカが提供される。
【００１３】
関連する態様において、ラウドスピーカは、内側サスペンション領域から外側サスペンション領域に延びる環状サスペンション部材をさらに含み、内側サスペンション領域はダイアフラムの外側環状域と重なって取り付けられる。
【００１４】
本明細書に記載される実施形態の１つ又はそれ以上の態様によれば、（ａ）水平面内に取り付けリングを有するフレームと、（ｂ）内側凹状ドーム領域から外側環状領域に延び、外側環状領域が、水平面に対して所定の角度（例えば、約４５度）で下向きに延びる、ダイアフラムと、（ｃ）内側サスペンション領域から外側サスペンション領域に延び、内側サスペンション領域はダイアフラムの外側環状領域と重なって取り付けられて、水平面に対して所定の角度に向けられた振動閉じ込め部を形成する、サスペンション部材と、を含むラウドスピーカが提供される。所定の角度における振動閉じ込め部の方向付けは、ダイアフラムの内側凹状ドーム領域を、外側サスペンション領域からのスプリアス屈曲波から隔離する。１つの実施形態において、所定の角度は、約１５度から約６０度までの間とするのがよい。
【００１５】
上記の及び関連する目的の実現ために、１つ又はそれ以上の態様は、以下に完全に説明され、特許請求の範囲において特に指摘される特徴を含む。以下の説明及び添付図面は、一定の例示となる態様を詳細に述べるが、これらの態様の原理を用いることができる種々の方法のうちの幾つかを示すに過ぎない。他の利点及び新規な特徴は、以下の詳細な説明を図面と共に考慮したときに明らかとなり、開示される態様は、全てのそのような態様及びそれらの均等物を含むことを意図している。
【００１６】
本開示の特徴、性質、及び利点は、同様な参照符号が全体を通して対応して識別される図面と併せて、以下に述べられる詳細な説明を読むことで、より明らかになるであろう。
【図面の簡単な説明】
【００１７】
【図１】例示的なラウドスピーカの等角図を示す。
【図２】図１に示す例示的なラウドスピーカの側面図を示す。
【図３】図２に示す例示的なラウドスピーカの断面図である。
【図４】図３に示す例示的なラウドスピーカの円で囲んだ部分の拡大図である。
【図５】図４に示す例示的なラウドスピーカの円で囲んだ部分の別の拡大図である。
【図６】図５に示す円で囲んだ部分の拡大図である。
【発明を実施するための形態】
【００１８】
ここで、図面を参照して、種々の態様を説明する。以下の説明においては、説明目的で、１つ又はそれ以上の態様の完全な理解を与えるために、多くの特定の詳細を説明する。しかしながら、種々の態様は、これらの詳細なしで実施できることが明らかである。
【００１９】
図１を参照すると、ラウドスピーカ１００の等角図が示される。ラウドスピーカ１００は、円形周縁部１０４と取り付けリング１０６（例えば、環状平坦面）とを含むフレーム１０２を含む。ラウドスピーカ１００は、フレーム１０２内にドーム又はダイアフラム１２０を含む。ラウドスピーカ１００は、フレーム１０２の上に配置されたサスペンションつまりサラウンドシステム１３０を含む。
【００２０】
図２を参照すると、ラウドスピーカ１００の側面図が示される。サスペンションシステム１３０は、フレーム１０２の取り付けリング１０６から上向きに延びる。フレーム１０２は、複数のバットレスブロック１０８と、フレーム１０２のカップ形状の底部とすることができるポット１１０とをさらに含む。バットレスブロック１０８及び／又はポット１１０は、金属又は類似の材料で形成することができる。磁極をポット１１０の最下部に組み込むことができる。フレーム１０２の構成部品及び／又は他のラウドスピーカの構成部品を互いに固定するための締付け具２００も示される。
【００２１】
図３を参照するとラウドスピーカ１００の断面図が示される。ポット１１０内には、台座３００が示される。台座３００の上には、ラウドスピーカと共に用いるのに適したいずれかの周知の材料の永久磁石とすることができる磁石３１０が配置される。磁石３１０の上には、典型的には磁気的に軟らかい鉄又はスチールなどから形成される上部プレート３２０が配置される。音声コイル巻型３３２と音声コイルワイヤ３３４とを含む音声コイル３３０がさらに示される。音声コイルワイヤ３３４は、コイル巻型３３２の周りに巻くことができる。ラッパーつまりカバーを音声コイル３３０の周りに配置できることに留意されたい。本明細書に記載される実施形態の範囲から逸脱することなく、フレーム１０２、台座３００、磁石３１０、及び／又は音声コイル３３０の他の構成を用い得ることにさらに留意されたい。
【００２２】
続けて図３の実施形態を参照すると、ダイアフラム１２０は、凹形状を有する。しかしながら、示されたドライバ構成は、例えば、凸形状などの他の形状のダイアフラムと共に用いることができる。前述のようにダイアフラム１２０は、例えば、チタン、アルミニウム、又は他の金属、又は非金属材料（例えば、プラスチック、含侵紙／強化紙等）などの剛性を与えるいずれかの好適な材料から形成することができる。
【００２３】
本明細書に記載される１つ又はそれ以上の実施形態によれば、振動閉じ込め及び応力管理について改善されたラウドスピーカ設計が提供される。図４の実施形態を参照すると、図３に示した例示的ラウドスピーカの円で囲んだ部分（円Ａ）の拡大図が示される。具体的には、図４においては、ダイアフラム１２０の、サスペンションシステム１３０のサスペンション部材１３２への取り付けが示される。ダイアフラム１２０は、例えば、ドーム形状又は円錐形状とすることができる内側ダイアフラム領域１２２から、下向き／上向きに延びてサスペンション部材１３２に取り付けることができる外側ダイアフラム領域１２４に向かって延びる。ある状況においては、内側ダイアフラム領域１２２は、ドーム、ドーム形状本体、内側ドーム域、及び凹状ドーム領域と呼ぶこともできる。
【００２４】
サスペンション部材１３２は、音声コイル・ダイアフラム組立体の自由な軸方向運動を可能にするのに十分なだけ軟らかくかつ可撓性であることが好ましく、内側サスペンション領域１３４（リップを含むことができる）から外側サスペンション領域１３６に延びる。ダイアフラム１２０は、できるだけ幅広い周波数範囲にわたりピストン性であるのに十分なだけ軽量かつ剛性であることが好ましい。示された実施形態において、ダイアフラム１２０とサラウンドつまりサスペンション部材１３２との間の界面は、ダイアフラム１２０の形状で水平面に対しておよそ４５度の屈曲を有し、円筒形の音声コイル巻型３３２によって下から支持される。内側ダイアフラム領域１２２に対する外側ダイアフラム領域１２４のおよそ９０度の屈曲は、結果として、水平面に対しておよそ４５度のダイアフラム１２０における屈曲をもたらすことができる。その結果、外側ダイアフラム領域１２４及び内側サスペンション領域１３４は、互いに重なって取り付けられ、共に、図５に示す取り付け領域１４０を形成する。本実施例において、外側ダイアフラム領域１２４及び内側サスペンション領域１３４の両方、並びに、結果としてもたらされる取り付け領域１４０は、内側ダイアフラム領域１２２を通る上向きの平面と直交する（すなわち、直交領域は、内側ダイアフラム領域１２２に対しておよそ９０度で交差する）。
【００２５】
軸方向に非常に剛性の巻型３３２と、内側ダイアフラム領域１２２に対する取り付け領域１４０の直交方向の組み合わせは、サスペンション部材１３２の望ましくない振動が、ダイアフラム１２０の内側ダイアフラム領域１２２から効率的に隔離されることを意味する。換言すれば、非ピストン性の振動は、音声コイル３３０の外部の領域に閉じ込められ、音声コイル３３０の内部の内側ダイアフラム領域１２２には、純粋なピストン性の運動が残る。
【００２６】
続けて図４−図５を参照すると、内側サスペンション領域１３４は、外側ダイアフラム領域１２４と重なって取り付けられ、それによって振動閉じ込め部５１０を形成する。外側サスペンション領域１３６は、接着剤／のり又は他の周知の好適な技術により、フレーム１０２（例えば、取り付けリング１０６において）に取り付けることができる。取り付け領域１４０において、外側ダイアフラム領域１２４のリップを、所与の角度（例えば、水平面に対して約４５度）で下向きに傾斜させ、一方で、サスペンション部材１３２のサスペンション領域１３４のリップを上向き（例えば、水平面に対して約４５度）で傾斜させて、リップの形状を力の方向と整合させることにより、サスペンション部材１３２におけるピーク応力が、１／５より低く低減されると考えられる。この幾何学的形状は、いかなる剥離型荷重も減少させるという更なる利点を与える一方、材料／接着剤の界面上において、一次的に剪断荷重を誘起するが、材料及び接着剤の両方ともこれに対してかなり堅牢であるので、接合部は強い耐亀裂伝播性をもつ。材料／接着剤の界面は、典型的には剪断に強く、しかも上述の取り付け領域１４０における傾斜されたリップの幾何学的形状は、結果として、主として剪断における荷重経路をもたらすことに留意されたい。別の実施形態（図示せず）においては、例えば、内側ダイアフラム領域１２２が凸形状のドームを含む場合などに、外側ダイアフラム領域１２４のリップを上向きに傾斜させ、一方で内側サスペンション領域１３４のリップを下向きに傾斜させて、ピーク応力を低減させることができる。
【００２７】
関連する態様において、ラウドスピーカ１００又はラウドスピーカドライバは、内側サスペンション領域１３４から、フレーム１０２に取り付けられた外側サスペンション領域１３６に延びるサスペンション部材１３２を含み、内側サスペンション領域１３４は外側ダイアフラム領域１２４と重なって取り付けられ、内側ダイアフラム領域１２２に対して所定の角度に向けられた振動閉じ込め部５１０を形成する。所定の角度における振動閉じ込め部５１０の方向付けは、内側ダイアフラム領域１２２を、サスペンション部材１３２からのスプリアス屈曲波から隔離する。
【００２８】
図６を参照すると、外側ダイアフラム領域１２４は、それ自体に対して直角の屈曲運動を受けやすいが、面内の運動は受けづらいことに留意されたい。結果としてもたらされるダイアフラム１２０の材料の表面の屈曲運動は、外側ダイアフラム領域１２４上に重畳された正弦波６１０のように見える。外側ダイアフラム領域１２４の終点６２０（すなわち、ダイアフラムの屈曲の又はその近くの終点６２０）における運動は、外側ダイアフラム領域１２４の表面に対して直角となる。同様に、内側ダイアフラム領域１２２もまた面内の運動の点では非常に剛性であるが、面外の力の点では可撓性である。その結果、内側ダイアフラム領域１２２及び外側ダイアフラム領域１２４における力が組み合わされた場合、外側ダイアフラム領域１２４の運動の弱い方向は、内側ダイアフラム領域１２２の運動の強い方向に対応し、外側ダイアフラム領域１２４により内側ダイアフラム領域１２２に対して伝達される屈曲波成分はほとんどないか又は全くない。
【００２９】
本明細書に記載される方法により、内側サスペンション領域１３４のリップをダイアフラム１２０に取り付けると、接合部の堅牢性、並びに、製造公差を増大させ、一方で、サスペンション部材１３２を直接ダイアフラム１２０に取り付ける場合に関する応力を低減させる。
【００３０】
ラウドスピーカ装置における課題は、剛性変動に対する感応性であり、これはコイルが傾斜してモータに当たるロッキング状態をもたらすことがある。剛性変動の１つの主要な原因は、コイル３３０に対してサラウンド１３２が非平面的に取り囲んでいること又は非平面的に取り付けられていることである。本明細書に記載される技術は、サラウンド１３２に対する取り付け構造として非常に剛性かつ寸法が安定したダイアフラム１２０の金属支持構造を与えることにより、そのような剛性変動又は非対称性を大幅に減少させる。結果として得られる剛性非対称性の最小化は、ラウドスピーカ１００に対して、より高い歩留まり率、より高いパワー処理及び広い可動域につながる。
【００３１】
本明細書に記載される実施形態の１つ又はそれ以上の態様によれば、図３−図４は、フレーム１０２、並びに、内側ダイアフラム領域１２２から外側ダイアフラム領域１２４に延びるダイアフラム１２０を含む例示的な装置１００（例えば、ラウドスピーカ又はドライバ）を示す。外側ダイアフラム領域１２４は、内側ダイアフラム領域１２２に対して所定の角度で屈曲するのがよい。また、装置は、内側サスペンション領域１３４から外側サスペンション領域１３６に延びるサスペンション部材１３２も含む。内側サスペンション領域１３４は、外側ダイアフラム領域１２４と重なって、これに取り付けることができ、外側サスペンション領域１３６はフレーム１０２に取り付けることができる。１つの実施形態において、所定の角度は、約４５度から約１３５度までの間とするのがよい。例えば、所定の角度は、約９０度とするのがよい。
【００３２】
関連する態様において、フレーム１０２は水平面内に取り付けリング１０６を含み、外側サスペンション領域１３６を取り付けリング１０６に取り付けることができる。外側ダイアフラム領域１２４を通る下向きの平面は、所与の角度（例えば、約１５度から６０度までの間）で、取り付けリング１０６の水平面と交差する。例えば、所与の角度は、約４５度とするのがよい。同様に、内側サスペンション領域１３４を通る上向きの平面は、例えば、約１０度から約７０度までの間といった所与の角度（例えば、図４の実施形態に示されるように、約４５度）で、水平面と交差する。
【００３３】
さらなる関連する態様において、音声コイル３３０は、ダイアフラム１２０の下に配置され、該ダイアフラム１２０に構造的支持を与えることができる。さらに別の関連する態様において、内側サスペンション領域１３４及び／又は外側サスペンション領域１３６は、フランジを含むのがよい。さらにまた別の関連する態様において、内側ダイアフラム領域１２２は、凹形状のドーム又はその変形を含む。別の実施形態（図示せず）において、内側ダイアフラム領域１２２は、凸形状のドーム又はその変形を含む。ダイアフラム１２０は、特定の用途又はラウドスピーカの設計に応じて、いずれかの好適な形状、構成、又は寸法を含むことができることに留意されたい。
【００３４】
本明細書に記載される実施形態の１つ又はそれ以上の態様によれば、続けて図３−図４を参照すると、装置１００は、内側ダイアフラム領域１２２（例えば内側ドーム域）から外側ダイアフラム１２４（例えば、外側環状域）に延びるダイアフラム１２０を含む。外側ダイアフラム領域１２４は、内側ダイアフラム領域１２２に対して所定の角度で屈曲する。装置１００は、ダイアフラム１２０の下に配置され、該ダイアフラム１２０に構造的支持を与える音声コイル３３０をさらに含み、音声コイル３３０は、底縁から上縁に延び、上縁は、内側ダイアフラム領域１２２と外側ダイアフラム領域１２４との間で、ダイアフラム１２０と界面接続する。１つの実施形態において、所定の角度は約４５度乃至約１３５度（例えば、約９０度）とするのがよい。
【００３５】
関連する態様において、装置１００は、内側サスペンション領域１３４から外側サスペンション領域１３６に延びる環状サスペンション部材１３２をさらに含み、内側サスペンション領域１３４は、ダイアフラム１２０の外側ダイアフラム領域１２４と重なって取り付けられる。さらなる関連する態様において、内側サスペンション領域１３４及び／又は外側サスペンション領域１３６は、フランジを含む。本実施例において、内側ダイアフラム領域１２２は、凹状のドームを含む。しかしながら、内側ダイアフラム領域１２２は、特定の用途に応じて、いずれかの好適な形状（例えば、凸状ドーム、円錐形状等）、構成、又は寸法からなることができることを理解されたい。
【００３６】
本明細書に記載される実施形態の１つ又はそれ以上の態様によれば、続けて図３−図４を参照すると、装置１００は、水平面内に環状平坦面を有するフレーム１０２、並びに、内側ダイアフラム領域１２２（例えば、内側凹状ドーム領域）から外側ダイアフラム領域１２４（例えば、外側環状領域）に延びるダイアフラム１２０を含み、外側ダイアフラム領域１２４は、水平面に対して所定の角度（例えば、約１５度から約６０度までの間）で（例えば、下向き又は上向きに）屈曲する。装置１００は、内側サスペンション領域１３４から外側サスペンション領域１３６に延びるサスペンション部材１３２をさらに含み、内側サスペンション領域１３４は、外側ダイアフラム領域１２４と重なり、これに取り付けることができ、外側サスペンション領域１３６は、フレーム１０２の取り付けリング１０６の環状平坦面に取り付けることができる。関連する態様において、装置１００は、ダイアフラム１２０に構造的支持を与える、上向きに延びる音声コイル巻型３３２をさらに含むのがよい。
【００３７】
図３−図４の実施例において、所定の角度はおよそ４５度であるが、ダイアフラム１２０の外側ダイアフラム領域１２４は、他の好適な角度で屈曲することができることを理解されたい。同様に、内側サスペンション領域１３４は、ダイアフラム１２０における屈曲の所定の角度と比較して、同じ又は類似の角度で上向きに延びることができる。
【００３８】
本発明が、特に好ましい実施形態により図示され説明されたが、それにより本発明の範囲を限定することを意図するものではないことを理解すべきである。当業者には明らかであるように、上記の方法及び装置のいずれの特徴も他のものに置換する又は加えることができる。本発明の原理を組み込む、本明細書に記載される特定の実施形態の変更が、当業者には想起され、それも本発明の範囲内に入ることも理解すべきである。
【符号の説明】
【００３９】
１００：ラウドスピーカ
１０２：フレーム
１０４：周縁部
１０６：取り付けリング
１０８：バットレスブロック
１１０：ポット
１２０：ダイアフラム
１２２：内側ダイアフラム領域
１２４：外側ダイアフラム領域
１３０：サスペンションシステム
１３２：サスペンション部材
１３４：内側サスペンション領域
１３６：外側サスペンション領域
１４０：取り付け領域
２００：締付け具
３００：台座
３１０：磁石
３２０：上部プレート
３３０：音声コイル
３３２：音声コイル巻型
３３４：音声コイルワイヤ
５１０：振動閉じ込め部
６１０：正弦波
６２０：終点
【図１】
0006022446.tif 000002
【図２】
0006022446.tif 000003
【図３】
0006022446.tif 000004
【図４】
0006022446.tif 000005
【図５】
0006022446.tif 000006
【図６】
0006022446.tif 000007